(57)【要約】【課題】  利用者の要求に応じてタクシーのチケットを発行し、利用者がタクシーでチケットを使用した場合にクレジットによる支払いを仲介するチケットサービスシステムに係り、行先の指示を簡便化し、更にチケットの悪用を防止することを課題とする。【解決手段】  利用者は、利用者端末２からクレジット番号のほか、行先を特定して、チケットの発行を求める。チケットセンターサーバ１は、チケット番号と行先を含むバーコード情報を返信し、利用者は、このバーコードを印刷し、あるいは携帯装置等に表示させて、チケットとして用いる。タクシー車載装置４は、チケットのバーコードから行先を得て、運転手はその行先への移動にのみチケット使用を認める。チケットセンターサーバ１も、チケット番号と行先を確認の上、クレジット会社サーバへ支払いを求める。他に、チケットパスワード、時間的条件、乗車予定地などによるチケット使用の制限を設ける。【選択図】        図１
2006277438.tif 000002
【特許請求の範囲】
【請求項１】
互いに通信可能なチケットセンターサーバとタクシー車載装置からなるチケットサービ
スシステムであって、
チケットセンターサーバは、
（１）タクシーのチケットの発行を求める利用者の端末から、タクシーのチケットを利用
して乗車するときの行先と、利用者のクレジット番号とを受信するチケット利用者情報受
信部と、
（２）クレジット会社サーバへ、クレジット番号が正当であるか否かの確認を依頼する情
報を送信し、確認結果を受信するクレジット番号確認要求部と、
（３）クレジット番号が正当であった場合に、チケット番号を割り当て、チケット番号と
対応付けて、行先とクレジット番号をチケット情報部に記憶させるチケット情報生成部と
、
（４）チケット番号と対応付けて、行先とクレジット番号を記憶するチケット情報記憶部
と、
（５）少なくともチケット番号と行先を含む情報をバーコード化してバーコード情報を生
成し、生成したバーコード情報を利用者の端末へ返信するバーコード情報送信部とを有し
、
タクシー車載装置は、
（Ａ）チケットからバーコード情報を読み取り、バーコード情報から行先とチケット番号
を取得するバーコード情報読取部と、
（Ｂ）バーコード情報から取得した行先を表示し、処理を続行するか終了するかの指示を
受け付ける行先確認部と、
（Ｃ）処理続行の指示を受け付けた場合に、バーコード情報から取得したチケット番号と
行先と料金、及び予め記憶しているタクシー会社の識別情報を含むチケット使用依頼を送
信するチケット使用要求部とを有し、
チケットセンターサーバは、更に、
（６）チケット番号と行先と料金とタクシー会社の識別情報を含むチケット使用依頼を受
信するチケット使用依頼受信部と、
（７）チケット使用依頼に含まれるチケット番号と行先の組み合わせが、チケット情報記
憶部で記憶されている場合に、チケット使用依頼に係るチケットが正当であると判断する
チケット情報確認部と、
（８）チケットが正当である場合に、当該チケット番号に対応するクレジット番号をチケ
ット情報記憶部から取得し、クレジット番号と、チケット使用依頼に含まれる料金と、タ
クシー会社の識別情報による当該タクシー会社を特定する情報をクレジット会社サーバへ
送信するクレジット支払要求部とを有することを特徴とするチケットサービスシステム。
【請求項２】
（１）のチケット利用者情報受信部は、行先と利用者のクレジット番号に加えて、チケ
ットパスワードを受信し、
（３）のチケット情報生成部は、行先とクレジット番号に加えて、チケット番号と対応
付けてチケットパスワードをチケット情報部に記憶させ、
（４）のチケット情報記憶部は、行先とクレジット番号に加えて、チケット番号と対応
付けてチケットパスワードを記憶し、
（５）のバーコード情報送信部は、チケット番号と行先に加えて、チケットパスワード
を含む情報をバーコード化してバーコード情報を生成し、生成したバーコード情報を利用
者の端末へ返信し、
（Ａ）のバーコード情報読取部は、チケットからバーコード情報を読み取り、バーコー
ド情報から行先とチケット番号に加えて、チケットパスワードを取得し、
（Ｂ）の行先確認部は、バーコード情報から取得した行先に加えて、チケットパスワー
ドを表示し、処理を続行するか終了するかの指示を受け付け、
（Ｃ）のチケット使用要求部は、処理続行の指示を受け付けた場合に、チケット番号と
行先と料金とタクシー会社の識別情報に加えて、バーコード情報から取得したチケットパ
スワードを含むチケット使用依頼を送信し、
（６）のチケット使用依頼受信部は、チケット番号と行先と料金とタクシー会社の識別
情報に加えて、チケットパスワードを含むチケット使用依頼を受信し、
（７）のチケット情報確認部は、チケット使用依頼に含まれるチケット番号と行先とチ
ケットパスワードの組み合わせが、チケット情報記憶部で記憶されている場合に、チケッ
ト使用依頼に係るチケットが正当であると判断することを特徴とする請求項１記載のチケ
ットサービスシステム。
【請求項３】
（１）のチケット利用者情報受信部は、行先と利用者のクレジット番号に加えて、チケ
ット使用の時間条件を受信し、
（３）のチケット情報生成部は、行先とクレジット番号に加えて、チケット番号と対応
付けてチケット使用の時間条件をチケット情報部に記憶させ、
（４）のチケット情報記憶部は、行先とクレジット番号に加えて、チケット番号と対応
付けてチケット使用の時間条件を記憶し、
（５）のバーコード情報送信部は、チケット番号と行先に加えて、チケット使用の時間
条件を含む情報をバーコード化してバーコード情報を生成し、生成したバーコード情報を
利用者の端末へ返信し、
（Ａ）のバーコード情報読取部は、チケットからバーコード情報を読み取り、バーコー
ド情報から行先とチケット番号に加えて、チケット使用の時間条件を取得し、
（Ｂ）の行先確認部は、バーコード情報から取得した行先に加えて、チケット使用の時
間条件を表示し、処理を続行するか終了するかの指示を受け付け、
（Ｃ）のチケット使用要求部は、処理続行の指示を受け付けた場合に、チケット番号と
行先と料金とタクシー会社の識別情報に加えて、バーコード情報から取得したチケット使
用の時間条件を含むチケット使用依頼を送信し、
（６）のチケット使用依頼受信部は、チケット番号と行先と料金とタクシー会社の識別
情報に加えて、チケット使用の時間条件を含むチケット使用依頼を受信し、
（７）のチケット情報確認部は、チケット使用依頼に含まれるチケット番号と行先とチ
ケット使用の時間条件の組み合わせが、チケット情報記憶部で記憶されており、更にチケ
ット情報確認部によるこの処理の時刻が、チケット使用の時間条件を満たす場合に、チケ
ット使用依頼に係るチケットが正当であると判断することを特徴とする請求項１記載のチ
ケットサービスシステム。
【請求項４】
（１）のチケット利用者情報受信部は、行先と利用者のクレジット番号に加えて、乗車
予定地を受信し、
（３）のチケット情報生成部は、行先とクレジット番号に加えて、チケット番号と対応
付けて乗車予定地をチケット情報部に記憶させ、
（４）のチケット情報記憶部は、行先とクレジット番号に加えて、チケット番号と対応
付けて乗車予定地を記憶し、
（５）のバーコード情報送信部は、チケット番号と行先に加えて、乗車予定地を含む情
報をバーコード化してバーコード情報を生成し、生成したバーコード情報を利用者の端末
へ返信し、
（Ａ）のバーコード情報読取部は、チケットからバーコード情報を読み取り、バーコー
ド情報から行先とチケット番号に加えて、乗車予定地を取得し、
（Ｂ）の行先確認部は、バーコード情報から取得した行先に加えて、乗車予定地を表示
し、処理を続行するか終了するかの指示を受け付け、
（Ｃ）のチケット使用要求部は、処理続行の指示を受け付けた場合に、チケット番号と
行先と料金とタクシー会社の識別情報に加えて、バーコード情報から取得した乗車予定地
を含むチケット使用依頼を送信し、
（６）のチケット使用依頼受信部は、チケット番号と行先と料金とタクシー会社の識別
情報に加えて、乗車予定地を含むチケット使用依頼を受信し、
（７）のチケット情報確認部は、チケット使用依頼に含まれるチケット番号と行先と乗
車予定地の組み合わせが、チケット情報記憶部で記憶されている場合に、チケット使用依
頼に係るチケットが正当であると判断することを特徴とする請求項１記載のチケットサー
ビスシステム。
【請求項５】
以下の要素を有することを特徴とするチケットセンターサーバ
（１）タクシーのチケットの発行を求める利用者の端末から、タクシーのチケットを利用
して乗車するときの行先と、利用者のクレジット番号とを受信するチケット利用者情報受
信部
（２）クレジット会社サーバへ、クレジット番号が正当であるか否かの確認を依頼する情
報を送信し、確認結果を受信するクレジット番号確認要求部
（３）クレジット番号が正当であった場合に、チケット番号を割り当て、チケット番号と
対応付けて、行先とクレジット番号をチケット情報部に記憶させるチケット情報生成部
（４）チケット番号と対応付けて、行先とクレジット番号を記憶するチケット情報記憶部
（５）少なくともチケット番号と行先を含む情報をバーコード化してバーコード情報を生
成し、生成したバーコード情報を利用者の端末へ返信するバーコード情報送信部
（６）チケット番号と行先と料金とタクシー会社の識別情報を含むチケット使用依頼を受
信するチケット使用依頼受信部
（７）チケット使用依頼に含まれるチケット番号と行先の組み合わせが、チケット情報記
憶部で記憶されている場合に、チケット使用依頼に係るチケットが正当であると判断する
チケット情報確認部
（８）チケットが正当である場合に、当該チケット番号に対応するクレジット番号をチケ
ット情報記憶部から取得し、クレジット番号と、チケット使用依頼に含まれる料金と、タ
クシー会社の識別情報による当該タクシー会社を特定する情報をクレジット会社サーバへ
送信するクレジット支払要求部。
【請求項６】
以下の要素を有することを特徴とするタクシー車載装置
（Ａ）チケットからバーコード情報を読み取り、バーコード情報から行先とチケット番号
を取得するバーコード情報読取部
（Ｂ）バーコード情報から取得した行先を表示し、処理を続行するか終了するかの指示を
受け付ける行先確認部
（Ｃ）処理続行の指示を受け付けた場合に、バーコード情報から取得したチケット番号と
行先と料金、及び予め記憶しているタクシー会社の識別情報を含むチケット使用依頼を送
信するチケット使用要求部。
【請求項７】
チケット番号と対応付けて、行先とクレジット番号を記憶するチケット情報記憶部を有
するチケットセンターサーバとなるコンピュータに、以下の手順を実行させるためのプロ
グラム
（１）タクシーのチケットの発行を求める利用者の端末から、タクシーのチケットを利用
して乗車するときの行先と、利用者のクレジット番号とを受信するチケット利用者情報受
信手順
（２）クレジット会社サーバへ、クレジット番号が正当であるか否かの確認を依頼する情
報を送信し、確認結果を受信するクレジット番号確認要求手順
（３）クレジット番号が正当であった場合に、チケット番号を割り当て、チケット番号と
対応付けて、行先とクレジット番号をチケット情報部に記憶させるチケット情報生成手順
（４）少なくともチケット番号と行先を含む情報をバーコード化してバーコード情報を生
成し、生成したバーコード情報を利用者の端末へ返信するバーコード情報送信手順
（５）チケット番号と行先と料金とタクシー会社の識別情報を含むチケット使用依頼を受
信するチケット使用依頼受信手順
（６）チケット使用依頼に含まれるチケット番号と行先の組み合わせが、チケット情報記
憶部で記憶されている場合に、チケット使用依頼に係るチケットが正当であると判断する
チケット情報確認手順
（７）チケットが正当である場合に、当該チケット番号に対応するクレジット番号をチケ
ット情報記憶部から取得し、クレジット番号と、チケット使用依頼に含まれる料金と、タ
クシー会社の識別情報による当該タクシー会社を特定する情報をクレジット会社サーバへ
送信するクレジット支払要求手順。
【発明の詳細な説明】
【技術分野】
【０００１】
本発明は、利用者の要求に応じてタクシーのチケットを発行し、利用者がタクシーでチ
ケットを使用した場合にクレジットによる支払いを仲介するチケットサービスシステムに
係り、行先の指示を簡便化し、更にチケットの悪用を防止する技術に関する。
【背景技術】
【０００２】
従来のタクシーチケットでは、サイン等により本人の確認を行なっていたが、成りすま
しによる悪用を完全には防止しきれていない。
【０００３】
特に、チケットの使用条件は限定されていないため、悪意を有する者が、自由な範囲（
地域や時間）で使用しやすく、悪用を誘発させるという面もある。
【０００４】
また、利用者がタクシーの運転手に行先を指示することが、困難な場合もある。例えば
、不慣れな地域や複雑な地理事情で指示する場合や、利用者の説明能力が未熟である場合
などが考えられる。
【特許文献１】特開２００４−３４１９２０号公報
【特許文献２】特開２００４−３４１９１８号公報
【発明の開示】
【発明が解決しようとする課題】
【０００５】
そこで、本発明は、このような問題を解決することを主な目的とし、チケットを利用す
る場合の行先の指示を簡便化するとともに、チケットの悪用を防止することを課題とする
。
【課題を解決するための手段】
【０００６】
本発明に係るチケットサービスシステムは、互いに通信可能なチケットセンターサーバ
とタクシー車載装置からなるチケットサービスシステムであって、
チケットセンターサーバは、
（１）タクシーのチケットの発行を求める利用者の端末から、タクシーのチケットを利用
して乗車するときの行先と、利用者のクレジット番号とを受信するチケット利用者情報受
信部と、
（２）クレジット会社サーバへ、クレジット番号が正当であるか否かの確認を依頼する情
報を送信し、確認結果を受信するクレジット番号確認要求部と、
（３）クレジット番号が正当であった場合に、チケット番号を割り当て、チケット番号と
対応付けて、行先とクレジット番号をチケット情報部に記憶させるチケット情報生成部と
、
（４）チケット番号と対応付けて、行先とクレジット番号を記憶するチケット情報記憶部
と、
（５）少なくともチケット番号と行先を含む情報をバーコード化してバーコード情報を生
成し、生成したバーコード情報を利用者の端末へ返信するバーコード情報送信部とを有し
、
タクシー車載装置は、
（Ａ）チケットからバーコード情報を読み取り、バーコード情報から行先とチケット番号
を取得するバーコード情報読取部と、
（Ｂ）バーコード情報から取得した行先を表示し、処理を続行するか終了するかの指示を
受け付ける行先確認部と、
（Ｃ）処理続行の指示を受け付けた場合に、バーコード情報から取得したチケット番号と
行先と料金、及び予め記憶しているタクシー会社の識別情報を含むチケット使用依頼を送
信するチケット使用要求部とを有し、
チケットセンターサーバは、更に、
（６）チケット番号と行先と料金とタクシー会社の識別情報を含むチケット使用依頼を受
信するチケット使用依頼受信部と、
（７）チケット使用依頼に含まれるチケット番号と行先の組み合わせが、チケット情報記
憶部で記憶されている場合に、チケット使用依頼に係るチケットが正当であると判断する
チケット情報確認部と、
（８）チケットが正当である場合に、当該チケット番号に対応するクレジット番号をチケ
ット情報記憶部から取得し、クレジット番号と、チケット使用依頼に含まれる料金と、タ
クシー会社の識別情報による当該タクシー会社を特定する情報をクレジット会社サーバへ
送信するクレジット支払要求部とを有することを特徴とする。
【０００７】
（１）のチケット利用者情報受信部は、行先と利用者のクレジット番号に加えて、チケ
ットパスワードを受信し、
（３）のチケット情報生成部は、行先とクレジット番号に加えて、チケット番号と対応
付けてチケットパスワードをチケット情報部に記憶させ、
（４）のチケット情報記憶部は、行先とクレジット番号に加えて、チケット番号と対応
付けてチケットパスワードを記憶し、
（５）のバーコード情報送信部は、チケット番号と行先に加えて、チケットパスワード
を含む情報をバーコード化してバーコード情報を生成し、生成したバーコード情報を利用
者の端末へ返信し、
（Ａ）のバーコード情報読取部は、チケットからバーコード情報を読み取り、バーコー
ド情報から行先とチケット番号に加えて、チケットパスワードを取得し、
（Ｂ）の行先確認部は、バーコード情報から取得した行先に加えて、チケットパスワー
ドを表示し、処理を続行するか終了するかの指示を受け付け、
（Ｃ）のチケット使用要求部は、処理続行の指示を受け付けた場合に、チケット番号と
行先と料金とタクシー会社の識別情報に加えて、バーコード情報から取得したチケットパ
スワードを含むチケット使用依頼を送信し、
（６）のチケット使用依頼受信部は、チケット番号と行先と料金とタクシー会社の識別
情報に加えて、チケットパスワードを含むチケット使用依頼を受信し、
（７）のチケット情報確認部は、チケット使用依頼に含まれるチケット番号と行先とチ
ケットパスワードの組み合わせが、チケット情報記憶部で記憶されている場合に、チケッ
ト使用依頼に係るチケットが正当であると判断することを特徴とする。
【０００８】
（１）のチケット利用者情報受信部は、行先と利用者のクレジット番号に加えて、チケ
ット使用の時間条件を受信し、
（３）のチケット情報生成部は、行先とクレジット番号に加えて、チケット番号と対応
付けてチケット使用の時間条件をチケット情報部に記憶させ、
（４）のチケット情報記憶部は、行先とクレジット番号に加えて、チケット番号と対応
付けてチケット使用の時間条件を記憶し、
（５）のバーコード情報送信部は、チケット番号と行先に加えて、チケット使用の時間
条件を含む情報をバーコード化してバーコード情報を生成し、生成したバーコード情報を
利用者の端末へ返信し、
（Ａ）のバーコード情報読取部は、チケットからバーコード情報を読み取り、バーコー
ド情報から行先とチケット番号に加えて、チケット使用の時間条件を取得し、
（Ｂ）の行先確認部は、バーコード情報から取得した行先に加えて、チケット使用の時
間条件を表示し、処理を続行するか終了するかの指示を受け付け、
（Ｃ）のチケット使用要求部は、処理続行の指示を受け付けた場合に、チケット番号と
行先と料金とタクシー会社の識別情報に加えて、バーコード情報から取得したチケット使
用の時間条件を含むチケット使用依頼を送信し、
（６）のチケット使用依頼受信部は、チケット番号と行先と料金とタクシー会社の識別
情報に加えて、チケット使用の時間条件を含むチケット使用依頼を受信し、
（７）のチケット情報確認部は、チケット使用依頼に含まれるチケット番号と行先とチ
ケット使用の時間条件の組み合わせが、チケット情報記憶部で記憶されており、更にチケ
ット情報確認部によるこの処理の時刻が、チケット使用の時間条件を満たす場合に、チケ
ット使用依頼に係るチケットが正当であると判断することを特徴とする。
【０００９】
（１）のチケット利用者情報受信部は、行先と利用者のクレジット番号に加えて、乗車
予定地を受信し、
（３）のチケット情報生成部は、行先とクレジット番号に加えて、チケット番号と対応
付けて乗車予定地をチケット情報部に記憶させ、
（４）のチケット情報記憶部は、行先とクレジット番号に加えて、チケット番号と対応
付けて乗車予定地を記憶し、
（５）のバーコード情報送信部は、チケット番号と行先に加えて、乗車予定地を含む情
報をバーコード化してバーコード情報を生成し、生成したバーコード情報を利用者の端末
へ返信し、
（Ａ）のバーコード情報読取部は、チケットからバーコード情報を読み取り、バーコー
ド情報から行先とチケット番号に加えて、乗車予定地を取得し、
（Ｂ）の行先確認部は、バーコード情報から取得した行先に加えて、乗車予定地を表示
し、処理を続行するか終了するかの指示を受け付け、
（Ｃ）のチケット使用要求部は、処理続行の指示を受け付けた場合に、チケット番号と
行先と料金とタクシー会社の識別情報に加えて、バーコード情報から取得した乗車予定地
を含むチケット使用依頼を送信し、
（６）のチケット使用依頼受信部は、チケット番号と行先と料金とタクシー会社の識別
情報に加えて、乗車予定地を含むチケット使用依頼を受信し、
（７）のチケット情報確認部は、チケット使用依頼に含まれるチケット番号と行先と乗
車予定地の組み合わせが、チケット情報記憶部で記憶されている場合に、チケット使用依
頼に係るチケットが正当であると判断することを特徴とする。
【００１０】
本発明に係るチケットセンターサーバは、以下の要素を有することを特徴とする
（１）タクシーのチケットの発行を求める利用者の端末から、タクシーのチケットを利用
して乗車するときの行先と、利用者のクレジット番号とを受信するチケット利用者情報受
信部
（２）クレジット会社サーバへ、クレジット番号が正当であるか否かの確認を依頼する情
報を送信し、確認結果を受信するクレジット番号確認要求部
（３）クレジット番号が正当であった場合に、チケット番号を割り当て、チケット番号と
対応付けて、行先とクレジット番号をチケット情報部に記憶させるチケット情報生成部
（４）チケット番号と対応付けて、行先とクレジット番号を記憶するチケット情報記憶部
（５）少なくともチケット番号と行先を含む情報をバーコード化してバーコード情報を生
成し、生成したバーコード情報を利用者の端末へ返信するバーコード情報送信部
（６）チケット番号と行先と料金とタクシー会社の識別情報を含むチケット使用依頼を受
信するチケット使用依頼受信部
（７）チケット使用依頼に含まれるチケット番号と行先の組み合わせが、チケット情報記
憶部で記憶されている場合に、チケット使用依頼に係るチケットが正当であると判断する
チケット情報確認部
（８）チケットが正当である場合に、当該チケット番号に対応するクレジット番号をチケ
ット情報記憶部から取得し、クレジット番号と、チケット使用依頼に含まれる料金と、タ
クシー会社の識別情報による当該タクシー会社を特定する情報をクレジット会社サーバへ
送信するクレジット支払要求部。
【００１１】
本発明に係るタクシー車載装置は、以下の要素を有することを特徴とする
（Ａ）チケットからバーコード情報を読み取り、バーコード情報から行先とチケット番号
を取得するバーコード情報読取部
（Ｂ）バーコード情報から取得した行先を表示し、処理を続行するか終了するかの指示を
受け付ける行先確認部
（Ｃ）処理続行の指示を受け付けた場合に、バーコード情報から取得したチケット番号と
行先と料金、及び予め記憶しているタクシー会社の識別情報を含むチケット使用依頼を送
信するチケット使用要求部。
【００１２】
本発明に係るプログラムは、チケット番号と対応付けて、行先とクレジット番号を記憶
するチケット情報記憶部を有するチケットセンターサーバとなるコンピュータに、以下の
手順を実行させることを特徴とする
（１）タクシーのチケットの発行を求める利用者の端末から、タクシーのチケットを利用
して乗車するときの行先と、利用者のクレジット番号とを受信するチケット利用者情報受
信手順
（２）クレジット会社サーバへ、クレジット番号が正当であるか否かの確認を依頼する情
報を送信し、確認結果を受信するクレジット番号確認要求手順
（３）クレジット番号が正当であった場合に、チケット番号を割り当て、チケット番号と
対応付けて、行先とクレジット番号をチケット情報部に記憶させるチケット情報生成手順
（４）少なくともチケット番号と行先を含む情報をバーコード化してバーコード情報を生
成し、生成したバーコード情報を利用者の端末へ返信するバーコード情報送信手順
（５）チケット番号と行先と料金とタクシー会社の識別情報を含むチケット使用依頼を受
信するチケット使用依頼受信手順
（６）チケット使用依頼に含まれるチケット番号と行先の組み合わせが、チケット情報記
憶部で記憶されている場合に、チケット使用依頼に係るチケットが正当であると判断する
チケット情報確認手順
（７）チケットが正当である場合に、当該チケット番号に対応するクレジット番号をチケ
ット情報記憶部から取得し、クレジット番号と、チケット使用依頼に含まれる料金と、タ
クシー会社の識別情報による当該タクシー会社を特定する情報をクレジット会社サーバへ
送信するクレジット支払要求手順。
【発明の効果】
【００１３】
本発明によれば、チケットに表示されるバーコード情報に、行先を含めるので、乗車時
の行先の指示が簡便になる。例えば、年少者や高齢者がチケットを使用して、所定の場所
へ移動する場合などに、便利となる。また、説明が困難な場所への誘導も簡単になる。
【００１４】
更に、行先を限定しているので、他者が悪用する利便性が損なわれ、悪用の機会が減る
と期待される。行先のほか、チケットパスワードによる本人の確認によって更に、安全性
が高まる。また、使用の時間的条件や乗車予定地を限定することにより、悪用の機会を更
に減らすことができる。
【発明を実施するための最良の形態】
【００１５】
実施の形態１．
図１は、チケットサービスシステムのネットワーク構成を示す図である。チケットセン
ターサーバ１は、クレジットネットワークを介してクレジット会社サーバ３と接続してい
る。利用者端末２は、インターネットを介してチケットセンターサーバ１に接続できる。
また、タクシー車載装置４も、インターネットを介してチケットセンターサーバ１に接続
できるように構成されている。クレジットネットワークは、クレジット会社の専用ネット
ワークである。例えば、専用線によるネットワークや、セキュリティ手段を講じたインタ
ーネットなどにより構成される。
【００１６】
チケットセンターサーバ１は、利用者からの要求に応じて、利用者が契約しているクレ
ジット会社のクレジットカードを用いた支払いを前提とするチケットを発行し、またタク
シー車載装置４からの要求に応じて、チケットを用いたクレジットカードによる支払いを
処理するサーバである。
【００１７】
利用者端末２は、チケットを利用してタクシーに乗車する予定の利用者が、チケットセ
ンターサーバ１に対してチケットの発行を求める際に用いられる端末である。パーソナル
コンピュータのほか、携帯電話端末などでもよい。利用者端末２は、インターネットに接
続可能な通信インターフェースを備えている。また、チケットにバーコードを印刷する形
態においては、バーコードを印刷する印刷手段も備えている。端末自身がチケットとして
バーコードを表示する形態においては、バーコードを表示する表示手段も備えている。な
お、バーコードは、従来のバーコードの他、２次元バーコードでもよい。
【００１８】
タクシー車載装置４は、タクシーの運転手が操作し、チケットからバーコードを読み取
り、その情報をチケットセンターサーバ１に送信し、チケットの使用を求めるための装置
である。本装置は、料金算出装置と接続し、料金の情報を取得できる。また、チケットか
らバーコードを読み取るバーコードスキャナーと、インターネットに接続可能な通信イン
ターフェースを備えている。
【００１９】
まず、利用者の要求に応じて、チケットセンターサーバ１よりチケットを発行する処理
について説明する。
【００２０】
図２は、チケットセンターサーバの構成のうちチケット発行に係る部分を示す図である
。チケットセンターサーバ１は、利用者情報受信部２０１、クレジット番号確認要求部２
０２、チケット情報生成部２０３、チケット情報記憶部２０４、及びバーコード情報送信
部２０５を有している。
【００２１】
図３は、チケットセンターサーバによるチケット発行処理フローを示す図である。利用
者は、利用者端末２のブラウザからチケットセンターサーバ１にアクセスし、チケット発
行要求画面を取得する。そして、その画面で行先、クレジット会社、クレジット番号（ク
レジットカード番号）を入力して、返信する。利用者情報受信部２０１による利用者情報
受信処理（Ｓ３０１）では、アクセスしてきた利用者端末２に対して、行先、クレジット
会社、クレジット番号の入力を促すチケット発行要求画面を送信し、その返信として行先
、クレジット会社、クレジット番号を受け付ける。
【００２２】
次に、クレジット番号確認要求部２０２によるクレジット番号確認要求処理（Ｓ３０２
）を行なう。この処理では、クレジット番号が正当なものであるかを確認する。利用者情
報受信部２０１で受け付けたクレジット会社のクレジット会社サーバ３に対して、利用者
情報受信部２０１で受け付けたクレジット番号を送信し、そのクレジット番号が正当であ
るか否かの確認を依頼する。確認結果が、正当であった場合のみ以下の処理を継続し、不
当である場合には、処理を中断するか、あるいは再び利用者情報受信処理（Ｓ３０１）を
行なう。
【００２３】
次に、チケット情報生成部２０３によるチケット情報生成処理（Ｓ３０３）を行なう。
図４は、このチケット情報生成処理のフローを示す図である。まず、新たなチケット番号
を生成する（Ｓ４０１）。チケット番号は、チケット毎に個別に付与される番号である。
そして、チケット番号に対応付けて、行先とクレジット会社ＩＤとクレジット番号をチケ
ット情報記憶部２０４に記憶させる（Ｓ４０２）。
【００２４】
ここで、チケット情報記憶部２０４の構成について説明する。図５は、チケット情報記
憶部の構成例を示す図である。発行するチケット毎にレコード（チケット情報）を設け、
チケット番号と、行先と、クレジット会社ＩＤと、クレジット番号と、タクシー会社ＩＤ
と、タクシー車両ＩＤの項目を対応付けて記憶するように構成されている。この例では、
行先として施設名を記憶しているが、住所や緯度経度であってもよい。
【００２５】
クレジット会社ＩＤは、図示しないクレジット会社テーブルで、クレジット会社の情報
を管理するために用いられる識別情報である。クレジット会社テーブルでは、クレジット
会社ＩＤに対応付けて、クレジット会社名、クレジット会社サーバのアドレス等を記憶し
ている。タクシー会社ＩＤは、図示しないタクシー会社テーブルで、タクシー会社の情報
を管理するために用いられる識別情報である。タクシー会社テーブルでは、タクシー会社
ＩＤに対応付けて、タクシー会社名、取引銀行口座等を記憶している。タクシー車両ＩＤ
は、タクシーの車両を識別するための情報である。
【００２６】
チケットが発行されると、レコードが生成され、当該チケットが使用されると、タクシ
ー会社ＩＤとタクシー車両ＩＤが記憶される。チケットが発行された段階では、タクシー
会社ＩＤとタクシー車両ＩＤは、初期値として未使用の情報が記憶されている。
【００２７】
図３のチケット発行処理の最後に、バーコード情報送信部２０５によるバーコード情報
送信処理（Ｓ３０４）を行なう。この処理では、少なくともチケット番号と行先を含む情
報をバーコード化して、バーコード情報を生成し、このバーコード情報を、チケット発行
を要求してきた利用者端末２に返信する。
【００２８】
利用者端末２では、バーコード情報を受信して一旦記憶し、これを印刷してチケットと
する。利用者端末２で、直接バーコードを表示する場合には、受信したバーコード情報を
記憶しておくだけで足りる。
【００２９】
次に、利用者がチケットを用いて実際にタクシーを利用する際の処理について説明する
。タクシーには、タクシー車載装置４が搭載されている。
【００３０】
図６は、タクシー車載装置の構成を示す図である。タクシー車載装置４は、バーコード
読取部６０１、行先確認部６０２、料金取得部６０３、チケット使用要求部６０４、クレ
ジット支払記録印刷部６０５、及び使用不可通知表示部６０６を備えている。
【００３１】
図７は、タクシー車載装置の処理フローを示す図である。バーコード読取部６０１によ
るバーコード情報読取処理（Ｓ７０１）を行なう。この処理では、利用者から提示された
チケットあるいは利用者端末２の表示画面からバーコード情報を読み取る。そして、バー
コード情報からチケット番号と行先を取得する。次に、行先確認部６０２による行先確認
処理（Ｓ７０２）を行なう。この処理では、行先を表示手段に表示させる。運転手は、利
用者が申し出た行先が、表示された行先と異なる場合には、チケットが不正であると判断
して、チケットの使用を拒否し、処理終了の指示を入力する。行先が一致すると運転手が
判断した場合には、処理続行の指示を入力する。次に、料金取得部６０３による料金取得
処理（Ｓ７０３）を行なう。この処理では、料金算出装置から走行に応じて算出される料
金の情報を取得する。次に、チケット使用要求部６０４によるチケット使用要求処理（Ｓ
７０４）を行なう。この処理では、チケットセンターサーバ１に対してチケットの使用依
頼を送信する。チケット使用依頼には、バーコード情報から取得したチケット番号と行先
、料金の他に、タクシー車載装置内部で予め記憶しているタクシー会社ＩＤとタクシー車
両ＩＤを含める。チケットの使用が認められた場合には（Ｓ７０５）、チケット使用要求
部６０４でクレジット支払記録（支払日、クレジット会社、支払い金額等を含む。）を受
信し、クレジット支払記録印刷部６０５によるクレジット使用記録印刷処理（Ｓ７０６）
で、このクレジット支払記録を印刷する。クレジット支払記録は、運転手から利用者に渡
される。チケットの使用が認められなかった場合には（Ｓ７０５）、チケット使用要求部
６０４で使用不可通知を受信し、使用不可通知表示部６０６による使用不可通知表示処理
（Ｓ７０７）で、この使用不可通知を表示手段に表示させる。この場合、運転手からチケ
ットの使用が認められなかったことが、利用者に告げられ、他の方法による支払い（例え
ば、現金による支払い）が行なわれる。
【００３２】
一方、タクシー車載装置４からチケット使用依頼を受信した際のチケットセンターサー
バの動作について説明する。図８は、チケットセンターサーバの構成のうちチケット使用
に係る部分を示す図である。チケットセンターサーバ１は、本動作の為、チケット使用依
頼受信部８０１、チケット情報確認部８０２、クレジット支払要求部８０３、及びチケッ
ト使用結果送信部８０４を備える。
【００３３】
図９は、チケットセンターサーバによるチケット使用処理フローを示す図である。まず
、チケット使用依頼受信部８０１によるチケット使用依頼受信処理（Ｓ９０１）で、前述
のチケット使用依頼を受信する。そして、チケット情報確認部８０２によるチケット情報
確認処理（Ｓ９０２）を行なう。この処理では、チケット使用依頼が正当なものであるか
を判定する。
【００３４】
チケット情報確認処理（Ｓ９０２）について詳述する。図１０は、チケット情報確認処
理フローを示す図である。まず、チケット使用依頼に含まれるチケット番号と一致するチ
ケット情報（レコード）を、チケット情報記憶部２０４から取得する（Ｓ１００１）。チ
ケット使用依頼に含まれる行先と、チケット情報に含まれる行先が一致するか判定し（Ｓ
１００２）、一致する場合には、正当なチケット使用依頼と判断し、チケット使用依頼に
含まれるタクシー会社ＩＤとタクシー車両ＩＤを、チケット番号と対応付けてチケット情
報記憶部２０４に記憶させ（Ｓ１００３）、終了ステータスを成功として（Ｓ１００４）
、終了する。一致しなかった場合には、不正なチケット使用依頼と判断し、終了ステータ
スを失敗として（Ｓ１００５）、終了する。つまり、チケット使用依頼に含まれるチケッ
ト番号と行先の組み合わせが、チケット情報記憶部２０４で記憶されている場合に、チケ
ット使用依頼に係るチケットが正当であると判断する。
【００３５】
チケット情報確認処理（Ｓ９０２）の終了ステータスが成功の場合には、図９に示すよ
うに、クレジット支払要求部８０３によるクレジット支払要求処理（Ｓ９０３）を行なう
。この処理では、クレジット会社サーバ３に対して、クレジットカードによる支払いを依
頼する。その為、まずチケット使用依頼に含まれるチケット番号に対応するクレジット会
社ＩＤとクレジット番号を、チケット情報記憶部２０４から取得する。次に、このクレジ
ット番号と、チケット使用依頼に含まれる料金とタクシー会社ＩＤを含むクレジット支払
依頼の情報を生成する。そして、前述のクレジット会社ＩＤに対応するクレジット会社サ
ーバに対して、生成したクレジット支払依頼を送信する。クレジット会社サーバは、前述
のクレジット会社テーブルで対応付けられているアドレスにより特定できる。また、タク
シー会社ＩＤは、タクシー会社を特定する情報の例であって、前述のタクシー会社テーブ
ルでタクシー会社ＩＤに対応付けられているタクシー会社名あるいは取引銀行口座（当該
タクシー会社への支払い先を特定できる情報の例）を用いてもよい。クレジット支払要求
部８０３は、クレジット会社サーバ３から返信されたクレジット支払記録（支払日、クレ
ジット会社、支払い金額等を含む。）を受信する。そして、チケット使用結果送信部８０
４によるチケット使用結果送信処理（Ｓ９０４）で、チケット使用依頼を送信してきたタ
クシー車載装置４に、このクレジット支払記録を転送する。
【００３６】
図９のチケット情報確認処理（Ｓ９０２）の終了ステータスが失敗の場合には、クレジ
ット支払要求処理（Ｓ９０３）を行なうことなく、チケットが不正であることを意味する
使用不可通知を、チケット使用依頼を送信してきたタクシー車載装置４に返信する。
【００３７】
上述の例では、チケット使用依頼に、タクシー車両ＩＤを含めたが、料金の支払いの為
には、必ずしも要しないので省略することも可能である。但し、チケット使用の履歴とし
ては、有効である。
【００３８】
実施の形態２．
上述の形態では、チケットの確認を行先により行なったが、更にチケットパスワードを
用いることもできる。
【００３９】
本実施の形態では、利用者情報受信部２０１による利用者情報受信処理（Ｓ３０１）で
、アクセスしてきた利用者端末２に対して、行先、クレジット会社、クレジット番号に加
えて、チケットパスワードの入力を促すチケット発行要求画面を送信し、その返信として
行先、クレジット会社、クレジット番号に加えて、チケットパスワードを受け付ける。
【００４０】
そして、チケット情報生成部２０３によるチケット情報生成処理（Ｓ３０３）で、行先
とクレジット会社ＩＤとクレジット番号に加えて、チケットパスワードをチケット情報記
憶部２０４に記憶させる（Ｓ４０２）。チケット情報記憶部２０４は、チケット番号に対
応付けて、更にチケットパスワードを記憶する。
【００４１】
バーコード情報送信部２０５によるバーコード情報送信処理（Ｓ３０４）では、チケッ
ト番号と行先に加えて、チケットパスワードを含む情報をバーコード化して、バーコード
情報を生成して、送信する。
【００４２】
タクシー車載装置側では、バーコード情報読取処理（Ｓ７０１）では、バーコード情報
からチケット番号と行先に加えて、チケットパスワードを取得し、行先確認部６０２によ
る行先確認処理（Ｓ７０２）の際に、行先に加えて、チケットパスワードを表示する。運
転手は、利用者に対してチケットパスワードを問い、返答として利用者が伝えたチケット
パスワードが、表示されたチケットパスワードと異なる場合には、チケットが不正である
と判断して、チケットの使用を拒否する。
【００４３】
また、チケット使用要求部６０４によるチケット使用要求処理（Ｓ７０４）で送信する
チケット使用依頼にチケットパスワードを含める。
【００４４】
チケット使用の際のチケットセンターサーバ１では、チケット使用依頼受信部８０１に
よるチケット使用依頼受信処理（Ｓ９０１）で、チケットパスワードを含むチケット使用
依頼を受信し、チケット情報確認部８０２によるチケット情報確認処理（Ｓ９０２）で、
チケット使用依頼に含まれる行先と、チケット情報に含まれる行先が一致するかに加えて
、チケット使用依頼に含まれるチケットパスワードと、チケット情報に含まれるチケット
パスワードが一致するかも判定する（Ｓ１００２）。そして、行先及びチケットパスワー
ドが一致する場合に、チケットを正当と判断する。つまり、チケット使用依頼に含まれる
チケット番号と行先とチケットパスワードの組み合わせが、チケット情報記憶部２０４で
記憶されている場合に、チケット使用依頼に係るチケットが正当であると判断する。
【００４５】
実施の形態３．
チケット使用日付（チケットを使用する日付の条件）あるいはチケット使用日時（チケ
ットを使用する日付に加えて時間の範囲を指定した条件）を限定させて、チケットを発行
させることもできる。チケット使用日付あるいはチケット使用日時は、チケット使用の時
間条件の例である。
【００４６】
本実施の形態では、利用者情報受信部２０１による利用者情報受信処理（Ｓ３０１）で
、アクセスしてきた利用者端末２に対して、行先、クレジット会社、クレジット番号に加
えて、チケット使用日付あるいはチケット使用日時の入力を促すチケット発行要求画面を
送信し、その返信として行先、クレジット会社、クレジット番号に加えて、チケット使用
日付あるいはチケット使用日時を受け付ける。
【００４７】
そして、チケット情報生成部２０３によるチケット情報生成処理（Ｓ３０３）で、行先
とクレジット会社ＩＤとクレジット番号に加えて、チケット使用日付あるいはチケット使
用日時をチケット情報記憶部２０４に記憶させる（Ｓ４０２）。チケット情報記憶部２０
４は、チケット番号に対応付けて、更にチケット使用日付あるいはチケット使用日時を記
憶する。
【００４８】
バーコード情報送信部２０５によるバーコード情報送信処理（Ｓ３０４）では、チケッ
ト番号と行先に加えて、チケット使用日付あるいはチケット使用日時を含む情報をバーコ
ード化して、バーコード情報を生成して、送信する。
【００４９】
タクシー車載装置側は、バーコード情報読取処理（Ｓ７０１）で、バーコード情報から
チケット番号と行先に加えて、チケット使用日付あるいはチケット使用日時を取得し、行
先確認部６０２による行先確認処理（Ｓ７０２）の際に、行先に加えて、チケット使用日
付あるいはチケット使用日時を表示する。運転手は、利用者が利用する日付あるいは日時
が、表示されたチケット使用日付あるいはチケット使用日時と異なる場合には、チケット
が不正であると判断して、チケットの使用を拒否する。
【００５０】
また、チケット使用要求部６０４によるチケット使用要求処理（Ｓ７０４）で送信する
チケット使用依頼に、チケット使用日付あるいはチケット使用日時を含める。
【００５１】
チケット使用の際のチケットセンターサーバ１では、チケット使用依頼受信部８０１に
よるチケット使用依頼受信処理（Ｓ９０１）で、チケット使用日付あるいはチケット使用
日時を含むチケット使用依頼を受信し、チケット情報確認部８０２によるチケット情報確
認処理（Ｓ９０２）で、チケット使用依頼に含まれる行先と、チケット情報に含まれる行
先が一致するかに加えて、チケット使用依頼に含まれるチケット使用日付あるいはチケッ
ト使用日時と、チケット情報に含まれるチケット使用日付あるいはチケット使用日時が一
致するかも判定する。更に、チケットセンターサーバ１による本処理の当日が、チケット
使用日付であるか、あるいは同じく本処理の当日現在時刻が、チケット使用日時に含まれ
るかを判定する（Ｓ１００２）。そして、行先及びチケットパスワードが一致し、更にチ
ケット使用日付あるいはチケット使用日時の条件を満たす場合に、チケットを正当と判断
する。つまり、チケット使用依頼に含まれるチケット番号と行先とチケット使用の時間条
件の組み合わせが、チケット情報記憶部２０４で記憶されており、更に当該処理の時刻が
、チケット使用の時間条件を満たす場合に、チケット使用依頼に係るチケットが正当であ
ると判断する。
【００５２】
実施の形態４．
乗車予定地を限定させて、チケットを発行させることもできる。
【００５３】
本実施の形態では、利用者情報受信部２０１による利用者情報受信処理（Ｓ３０１）で
、アクセスしてきた利用者端末２に対して、行先、クレジット会社、クレジット番号に加
えて、乗車予定地の入力を促すチケット発行要求画面を送信し、その返信として行先、ク
レジット会社、クレジット番号に加えて、乗車予定地を受け付ける。
【００５４】
そして、チケット情報生成部２０３によるチケット情報生成処理（Ｓ３０３）で、行先
とクレジット会社ＩＤとクレジット番号に加えて、乗車予定地をチケット情報記憶部２０
４に記憶させる（Ｓ４０２）。チケット情報記憶部２０４は、チケット番号に対応付けて
、更に乗車予定地を記憶する。
【００５５】
バーコード情報送信部２０５によるバーコード情報送信処理（Ｓ３０４）では、チケッ
ト番号と行先に加えて、乗車予定地を含む情報をバーコード化して、バーコード情報を生
成して、送信する。
【００５６】
タクシー車載装置側では、バーコード情報読取処理（Ｓ７０１）では、バーコード情報
からチケット番号と行先に加えて、乗車予定地を取得し、行先確認部６０２による行先確
認処理（Ｓ７０２）の際に、行先に加えて、乗車予定地を表示する。運転手は、利用者が
乗車してきた位置が、表示された乗車予定地と異なる場合には、チケットが不正であると
判断して、チケットの使用を拒否する。
【００５７】
また、チケット使用要求部６０４によるチケット使用要求処理（Ｓ７０４）で送信する
チケット使用依頼に、乗車予定地を含める。
【００５８】
チケット使用の際のチケットセンターサーバ１では、チケット使用依頼受信部８０１に
よるチケット使用依頼受信処理（Ｓ９０１）で、乗車予定地を含むチケット使用依頼を受
信し、チケット情報確認部８０２によるチケット情報確認処理（Ｓ９０２）で、チケット
使用依頼に含まれる行先と、チケット情報に含まれる行先が一致するかに加えて、チケッ
ト使用依頼に含まれる乗車予定地と、チケット情報に含まれる乗車予定地が一致するかも
判定する（Ｓ１００２）。そして、行先及び乗車予定地が一致した場合に、チケットを正
当と判断する。つまり、チケット使用依頼に含まれるチケット番号と行先と乗車予定地の
組み合わせが、チケット情報記憶部２０４で記憶されている場合に、チケット使用依頼に
係るチケットが正当であると判断する。
【００５９】
チケットセンターサーバ１、利用者端末２、クレジット会社サーバ３、及びタクシー車
載装置４は、いずれもコンピュータであり、各要素はプログラムにより処理を実行するこ
とができる。また、プログラムを記憶媒体に記憶させ、記憶媒体からコンピュータに読み
取られるようにすることができる。
【００６０】
図１１は、チケットセンターサーバのハードウェア構成を示す図である。バスに、演算
装置１１０１、データ記憶装置１１０２、メモリ１１０３、通信インターフェース１１０
４が接続されている。データ記憶装置１１０２は、例えばＲＯＭ（Read Only Memory）や
ハードディスクである。メモリ１１０３は、通常ＲＡＭ（Random Access Memory）である
。プログラムは、通常データ記憶装置１１０２に記憶されており、メモリ１１０３にロー
ドされた状態で、順次演算装置１１０１に読み込まれ処理を行う。通信インターフェース
１１０４は、クレジットネットワークへの接続及びインターネットへの接続に用いられる
。
【図面の簡単な説明】
【００６１】
【図１】チケットサービスシステムのネットワーク構成を示す図である。
【図２】チケットセンターサーバの構成のうちチケット発行に係る部分を示す図である。
【図３】チケットセンターサーバによるチケット発行処理フローを示す図である。
【図４】チケット情報生成処理フローを示す図である。
【図５】チケット情報記憶部の構成例を示す図である。
【図６】タクシー車載装置の構成を示す図である。
【図７】タクシー車載装置の処理フローを示す図である。
【図８】チケットセンターサーバの構成のうちチケット使用に係る部分を示す図である。
【図９】チケットセンターサーバによるチケット使用処理フローを示す図である。
【図１０】チケット情報確認処理フローを示す図である。
【図１１】チケットセンターサーバのハードウェア構成を示す図である。
【符号の説明】
【００６２】
１  チケットセンターサーバ、２  利用者端末、３  クレジット会社サーバ、４  タク
シー車載装置、２０１  利用者情報受信部、２０２  クレジット番号確認要求部、２０３
チケット情報生成部、２０４  チケット情報記憶部、２０５  バーコード情報送信部、
６０１  バーコード読取部、６０２  行先確認部、６０３  料金取得部、６０４  チケッ
ト使用要求部、６０５  クレジット支払記録印刷部、６０６  使用不可通知表示部、８０
１  チケット使用依頼受信部、８０２  チケット情報確認部、８０３  クレジット支払要
求部、８０４  チケット使用結果送信部。
【図１】
2006277438.tif 000003
【図２】
2006277438.tif 000004
【図３】
2006277438.tif 000005
【図４】
2006277438.tif 000006
【図５】
2006277438.tif 000007
【図６】
2006277438.tif 000008
【図７】
2006277438.tif 000009
【図８】
2006277438.tif 000010
【図９】
2006277438.tif 000011
【図１０】
2006277438.tif 000012
【図１１】
2006277438.tif 000013